(57)【要約】【課題】本発明は、光信号の伝送を確保できるＵＳＢ光コネクタを提供することを目的とする。【解決手段】本発明の光コネクタは、絶縁性本体と、前記絶縁性本体に固着される複数の第１端子と、第１光部材と、前記第１光部材に装入されるファイバーと、を備える。前記絶縁性本体は、基部と、前記基部から延在する第１延在部と、を有する。各第１端子は、第１主体部と、第１主体部から延在する第１弾性ビームと、第１弾性ビームに設けられる第１接触部と、を有する。第１光部材は、前記絶縁性本体に装着され、前記第１端子の第１弾性ビームを収納し、前記第１延在部に対して前後方向において移動可能である。【選択図】図７
2011145671.tif 000002
【特許請求の範囲】
【請求項１】
基部と、前記基部から延在する第１延在部と、を有する絶縁性本体と、
前記絶縁性本体に固着され、第１主体部と、第１主体部から延在する第１弾性ビームと、第１弾性ビームに設けられる第１接触部と、を有する複数の第１端子と、
前記絶縁性本体に装着され、前記第１端子の第１弾性ビームを収納し、前記第１延在部に対して前後方向において移動可能な第１光部材と、
前記第１光部材に装入されるファイバーと、を備えることを特徴とする光コネクタ。
【請求項２】
前記基部が当接面を有し、前記光コネクタには、前記基部の当接面に当接可能な弾力部材が設けられ、前記第１光部材が、前記弾力部材によって、移動して位置調節することを特徴とする請求項１に記載の光コネクタ。
【請求項３】
前記弾力部材は、前記第１光部材の後端に設けられる八字状の弾力片であることを特徴とする請求項２に記載の光コネクタ。
【請求項４】
前記第１光部材が、前記第１端子の第１弾性ビームを収納する保持部と、前記保持部から延在する被覆部と、を有し、前記弾力片が前記被覆部から延在し、前記絶縁性本体の基部の下に配置されることを特徴とする請求項３に記載の光コネクタ。
【請求項５】
前記光コネクタが一対のラッチを含み、前記第１光部材の両側には、前記基部に移動可能に収納される一対の導入部が設けられ、各導入部と前記保持部との間には前記ラッチを収納するための導入溝が形成され、各導入部には、前記ファイバーを収納するための取付溝が形成されることを特徴とする請求項４に記載の光コネクタ。
【請求項６】
前記光コネクタが第１蓋体を含み、前記第１蓋体には、弾力片が設けられ、前記第１光部材の後端には前記第１蓋体の弾力片に押圧可能な当接部が設けられ、前記弾力部材は、前記第１蓋体の弾力片及び第１光部材の当接部であることを特徴とする請求項２に記載の光コネクタ。
【請求項７】
前記基部が前表面を含み、前記第１延在部が前記基部の前表面から前向きに延在し、前記基部が、前記前表面から窪んだ収納穴が形成され、前記当接面が前記収納穴に配置されることを特徴とする請求項２に記載の光コネクタ。
【請求項８】
前記絶縁性本体には、前記基部から延在して、前記第１延在部と並列に配置される第２延在部が設けられ、前記光コネクタが、前記第２延在部に固着される複数の第２端子を含むことを特徴とする請求項７に記載の光コネクタ。
【発明の詳細な説明】
【技術分野】
【０００１】
本発明は、光コネクタに関し、特に、移動可能な光部材を含むＵＳＢ（Ｕｎｉｖｅｒｓａｌ  Ｓｅｒｉａｌ  Ｂｕｓ）規格に準拠した光コネクタに関するものである。
【背景技術】
【０００２】
現在技術のＵＳＢコネクタは、光信号と電気信号とを伝送できる。このＵＳＢコネクタは、絶縁性本体と、絶縁性本体に固着される複数の導電端子と、光部材と、絶縁性本体を遮蔽するハウジングとを備える。絶縁性本体は、本体部と、本体部から突出する舌板とを備える。光部材が本体部に装着される。
【先行技術文献】
【特許文献】
【０００３】
【特許文献１】米国特許第７０２１９７１号明細書
【特許文献２】米国特許第７１０４８４８号明細書
【特許文献３】米国特許第７３８０９９１号明細書
【発明の概要】
【発明が解決しようとする課題】
【０００４】
前記光部材が前記本体部に装着される時、位置調節できない。これにより、光部材が、絶縁性本体に精確に対応せず、光信号の伝送を確保できない。
【０００５】
そこで本発明は、上述される従来技術の問題に鑑み、光信号の伝送を確保できるＵＳＢ光コネクタを提供することを目的とする。
【課題を解決するための手段】
【０００６】
前記目的を達成するために、本発明の光コネクタは、絶縁性本体と、前記絶縁性本体に固着される複数の第１端子と、第１光部材と、前記第１光部材に装入されるファイバーと、を備える。前記絶縁性本体は、基部と、前記基部から延在する第１延在部と、を有する。各第１端子は、第１主体部と、第１主体部から延在する第１弾性ビームと、第１弾性ビームに設けられる第１接触部と、を有する。第１光部材は、前記絶縁性本体に装着され、前記第１端子の第１弾性ビームを収納し、前記第１延在部に対して前後方向において移動可能である。
【発明の効果】
【０００７】
従来技術と比べると、本発明は以下の長所を有する。前記光コネクタには、前記基部の当接面に当接可能な弾力部材が設けられる。前記第１光部材が、前記弾力部材によって、移動して位置調節する。位置調節可能な第１光部材が、前記基部に精確に対応し、光信号の伝送を確保できる。
【図面の簡単な説明】
【０００８】
【図１】本発明の第１実施形態の光コネクタの組立斜視図である。
【図２】図１に示す光コネクタの分解斜視図である。
【図３】図２に示す光コネクタの別の角度から見た分解斜視図である。
【図４】図２に示す示す光コネクタの別の角度から見た分解斜視図である。
【図５】図１に示す光コネクタの部分の分解斜視図である。
【図６】図５に示す光コネクタの部分の分解斜視図である。
【図７】図１に示す光コネクタのＡ−Ａ線に沿った断面図である。
【図８】図１に示す光コネクタに接続するソケットコネクタの組立斜視図である。
【図９】図８に示すソケットコネクタの分解斜視図である。
【図１０】図９に示すソケットコネクタの部分の分解斜視図である。
【図１１】光コネクタがソケットコネクタに接続しない時の斜視図であり、光コネクタの第１蓋体、第２蓋体及びソケットコネクタのシェルが取り付けせず。
【図１２】図１１に示す光コネクタがソケットコネクタに接続している斜視図であり、光コネクタの第１蓋体、第２蓋体及びソケットコネクタのシェルが取り付けせず。
【図１３】図１１に示す光コネクタがソケットコネクタに充分に接続した斜視図であり、光コネクタの第１蓋体、第２蓋体及びソケットコネクタのシェルが取り付けせず。
【図１４】図１３に示す光コネクタとソケットコネクタのＢ−Ｂ線に沿った断面図である。
【図１５】本発明の第２実施形態の光コネクタの組立斜視図である。
【図１６】図１５に示す光コネクタの分解斜視図である。
【図１７】図１５に示す光部材が絶縁性本体に接続しない光コネクタのＣ−Ｃ線に沿った断面図である。
【図１８】図１５に示す光部材が絶縁性本体に接続する光コネクタのＣ−Ｃ線に沿った断面図である。
【発明を実施するための形態】
【０００９】
図１〜図１４を参照すると、本発明の第１実施形態の光コネクタ１００は、ＵＳＢコネクタである。前記光コネクタ１００は、ソケットコネクタ９００に接続される。
【００１０】
図１〜図７に示すように、光コネクタ１００は、絶縁性本体２と、前記絶縁性本体２に挿入される複数の第１端子３と、複数の第２端子４と、絶縁性本体２に装着される一対のラッチ７と、第１光部材５と、ファイバー６と、第１蓋体８１と、第２蓋体８２と、を備える。
【００１１】
絶縁性本体２は、基部２１と、基部２１から突出する第１延在部２２と、前記第１延在部２１と並列に配置される第２延在部２３と、を有する。前記基部２１は、前表面２１０と、後表面２１１と、前表面２１０から窪んだ収納穴２１３と、第１延在部２２の両側に形成される一対のガイド溝２１２と、を有する。基部２１の両側には、一対の係合部片２０が設けられる。第１延在部２２の前表面２２１には、前後に貫通する複数の第１端子溝２４と、前表面２２１の両側に位置する一対の挿入溝２２２と、が形成される。第２延在部２３は、支持部２３１と、支持部２３１から前向きに突出する舌状部２３２と、を有する。支持部２３１の前表面には、舌状部２３２に連接する階段面２３３が設けられる。支持部２３１と舌状部２３２とには、複数の第２端子溝２３４が形成される。
【００１２】
各第１端子３は、第１主体部３１と、第１主体部３１から前向きに延在する第１弾性ビーム３２と、第１主体部３１から後向きに延在する第１尾部３３と、を有する。第１弾性ビーム３２の前端には、第１接触部３２１が設けられる。
【００１３】
複数の第２端子４は、一方及び他方の一対の信号端子４０と、一方及び他方の一対の信号端子４０の間に配置される接地端子４１と、を有する。各第２端子４は、第２主体部４２と、第２主体部４２から前向きに延在する第２弾性ビーム４３と、第２主体部４２から後向きに延在する第２尾部４４と、を有する。第２弾性ビーム４３の前端には、第２接触部４３１が設けられる。
【００１４】
ラッチ７は、垂直的な主体部７３と、主体部７３の上端から前向きに延在するラックビーム７２と、主体部７３の中間から前向きに突出するクリック部７１と、を有する。ラックビーム７２には、ラック鉤７２１が設けられる。
【００１５】
第１光部材５は、保持部５２と、一対のレンズ５１と、を備える。保持部５２は、前表面５２７と後表面５２３とを含む主体部５２０と、前記主体部５２０に形成される複数の挿入溝５２１と、主体部５２０から延在する被覆部５２２と、を有する。保持部５２の両側には一対の導入部５２４が設けられる。各導入部５２４と保持部５２との間には、導入溝５３が形成される。各導入部５２４の中には、取付溝５５が形成される。保持部５２の主体部５２０には、前表面５２７から窪んだ一対の位置決め溝５２６が形成され、後表面５２３から後向きに突出する突出柱５２８が設けられる。被覆部５２２には、複数の係合部５２９が設けられる。被覆部５２２の後部には、八字状の弾力片５４が設けられる。
【００１６】
前記第１蓋体８１は、ベース８１３と、前記ベース８１３から突出する第１遮蔽部８１１と、第２遮蔽部８１２と、を備える。
【００１７】
前記第２蓋体８２は、板状部８２１と、板状部８２１と連接する固定部８２２と、を備える。板状部８２１には、弾力片８２３と、窓口８２４と、突出部片８２５と、が設けられる。
【００１８】
光コネクタ１００を組み立てる時、複数の第１端子３が絶縁性本体１の第１端子溝２４に挿入され、複数の第２端子４が第２端子溝２３４に挿入される。一対のファイバー６が第１光部材５の一対の取付溝５５に挿入される。前記第１光部材５が絶縁性本体２に装入される。第１端子３の第１弾性ビーム３２は、第１光部材５の挿入溝５２１に挿入される。第１光部材５の突出柱５２８が絶縁性本体２の挿入溝２２２に挿入される。図７を参照すると、第１光部材５の取付過程で、弾力片５４は、絶縁性本体２の当接面２１４から離れた位置から、当接面２１４に向かって移動して当接面２１４に当接する。第１光部材５は、弾力片５４によって、位置調節できる。前記係合部５２９は、制限溝２２３と係合する。前記絶縁性本体１に装入される一対のラッチ７のラックビーム７２は、第１光部材５の導入溝５３に取り付けられる。
【００１９】
絶縁性本体２の第１延在部２２が第１蓋体８１の第１遮蔽部８１１に装入され、第２延在部２３が第１蓋体８１の第２遮蔽部８１２に装入される。第２蓋体８２が第１蓋体８１に装着される。第２蓋体８２のの突出部片８２５が第１蓋体８１の第２開口８１５と係合する。絶縁性本体２の係合部片２０が、第１蓋体８１の第１開口８１４及び第２蓋体８２の第２開口８２４と係合する。
【００２０】
図８〜図１０を参照すると、ソケットコネクタ９００は、第２本体９０と、複数の第３端子９１と、複数の第４端子９２と、第２光部材９３と、シェル９４と、ファイバー９５と、を備える。
【００２１】
第２本体９０は、基面９０４を含む主体部９０１と、主体部９０１から延在する第１舌状部９０２と、第２舌状部９０３と、を備える。主体部９０１は、一対の第１係合孔９０５と、第１係合孔９０５の下に形成される一対の第２係合孔９０６と、を有する。主体部９０１には、前向きに突出する突出部９０７が設けられる。
【００２２】
第２光部材９３には、係合溝９３３と、一対のレンズ９３１と、一対の固定柱９３２が設けられる。
【００２３】
シェル９４は、頂壁９４３と、頂壁９４３から後向きに延在する係合鉤９４４と、が設けられる。
【００２４】
ソケット部材９００を組み立てる時、複数の第３端子９１が第１舌状板９０２に挿入され、第４端子９２が第２舌状板９０３に挿入される。第２光部材９３は、第２本体９０に装着される。第２光部材９３の一対のレンズ９３１が第２本体９０の第１係合孔９０５に固定され、一対の固定柱９３２は、第２本体９０の第２係合孔９０６に固定される。シェル９４の係合鉤９４４は、第２光部材９３の係合溝９３３に係合する。
【００２５】
図１１〜図１４に示すように、光コネクタ１００は、ソケットコネクタ９００に接続される時、第１舌状部９０２が第１光部材５に接触し、第３端子９１が、第１端子３の第１接触部３２１と接続される。次に、第２舌状部９０３が第２延在部２３に接触し、保持部５２の前表面５２７が、第２本体９０の基面９０４に接触する。固定柱９３２が位置決め溝５２６に位置決めされる。光コネクタ１００の一対のレンズ５１は、ソケットコネクタ９００のレンズ９３１に対応する。絶縁性本体２の第２延在部２３が第２本体９０の突出部９０７に到達していない時、第１光部材５の後表面５２３が絶縁性本体２の第１延在部２２の前表面２２１に到達していない。第１光部材５が第２本体９０の基面９０４に推される時、第１光部材５の弾力片５４が弾性変形するとともに、移動する第１光部材５の後表面５２３が第１延在部２２の前表面２２１に接触する。この時、絶縁性本体２の第２延在部２３が第２本体９０の突出部９０７に当接する。第１光部材５は、弾力片８３によって、位置調節できる。
【００２６】
図１５〜図１８に示すように、第２実施形態の光コネクタ１００’の第１光部材５’の被覆部５２２’の後端には、弾力片５４の代わりに、当接部５４’が設けられる。第２蓋体８２’の板状部８２１’にはＬ字状の弾力片８３’が設けられる。第１光部材５’の当接部５４’は、第２蓋体８２’の弾力片８３’に当接する。第２実施形態の光コネクタ１００’の他の構造は、第１実施形態の光コネクタ１００の対応する構造と似ている。
【００２７】
光コネクタ１００’がソケットコネクタ（図示せず）に接続する時、第１光部材５’が絶縁性本体２’に向かって推される。従って、前記第２蓋体８２’の弾力片８３’は、第１光部材５’の当接部５４’に推されて、絶縁性本体２’の収納穴２１３’に向かって移動して、当接面２１４’に当接する。第１光部材５’が推せない時、弾力片８３’によって、第１光部材５’が位置調節する。
【００２８】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２９】
１００  光コネクタ
２  絶縁性本体
２１  基部
２１０  前表面
２１１  後表面
２１２  ガイド溝
２１３  収納穴
２１４  当接面
２２  第１延在部
２２１  前表面
２２２  挿入溝
２２３  制限溝
２２４  底面
２３  第２延在部
２３１  支持部
２３２  舌状部
２３３  階段面
２３４  第２端子溝
２４  第１端子溝
３  第１端子
３１  第１主体部
３２  第１弾性ビーム
３２１  第１接触部
３３  第１尾部
４  第２端子
４０  第２信号端子
４１  第２接地端子
４２  第２主体部
４３  第２弾性ビーム
４３１  第２接触部
５  光部材
５１  レンズ
５２  保持部
５２０  主体部
５２１  挿入溝
５２２  被覆部
５２３  後表面
５２４  導入部
５２６  位置決め溝
５２７  前表面
５２８  突出柱
５２９  係合部
５３  導入溝
５４  弾力片
５５  取付溝
６  ファイバー
７  ラッチ
７１  クリック部
７２  ラックビーム
７２１  ラック鉤
７３  主体部
８１  第１蓋体
８１１  第１遮蔽部
８１２  第２遮蔽部
８１３  ベース
８１４  第１開口
８１５  第２開口
８２  第２蓋体
８２１  板状部
８２２  固定部
８２３  弾力片
８２４  窓口
８２５  突出部片
９００  ソケットコネクタ
９０  第２本体
９０１  主体部
９０２  第１舌状部
９０３  第２舌状部
９０４  基部
９０５  第１係合孔
９０６  第２係合孔
９０７  突出部
９１  第３端子
９２  第４端子
９３  第２光部材
９３１  レンズ
９３２  固定柱
９３３  係合溝
９４  シェル
９４３  頂壁
９４４  係合鉤
９５  ファイバー
１００’  光コネクタ
２’  絶縁性本体
２１３’  収納穴
２１４’  当接面
２２’  第１延在部
５’  光部材
５２２’  被覆部
５４’  当接部
６  ファイバー
８１’  第１蓋体
８２’  第２蓋体
８２１’  板状部
８３’  弾力片
【図１】
2011145671.tif 000003
【図２】
2011145671.tif 000004
【図３】
2011145671.tif 000005
【図４】
2011145671.tif 000006
【図５】
2011145671.tif 000007
【図６】
2011145671.tif 000008
【図７】
2011145671.tif 000009
【図８】
2011145671.tif 000010
【図９】
2011145671.tif 000011
【図１０】
2011145671.tif 000012
【図１１】
2011145671.tif 000013
【図１２】
2011145671.tif 000014
【図１３】
2011145671.tif 000015
【図１４】
2011145671.tif 000016
【図１５】
2011145671.tif 000017
【図１６】
2011145671.tif 000018
【図１７】
2011145671.tif 000019
【図１８】
2011145671.tif 000020